(57)【要約】【課題】実行中又は一時停止中のジョブが他のユーザーによって中止されてしまうことを防止することが可能なジョブ実行装置及びジョブ実行方法を提供すること。【解決手段】実行処理部１６１は、ジョブを実行する。受付処理部１６２は、前記ジョブの実行中又は一時停止中に前記ジョブに対するロック操作を受け付ける。変更処理部１６４は、受付処理部１６２により前記ロック操作が受け付けられたことに応じて、前記ジョブの状態を前記ジョブに対する中止操作が制限されるロック状態へと変更する。制限処理部１６５は、前記ジョブが前記ロック状態である間、前記ジョブに対する中止操作を制限する。【選択図】図１
2019010790.tif 000002
【特許請求の範囲】
【請求項１】
ジョブを実行する実行処理部と、
前記ジョブの実行中又は一時停止中に前記ジョブに対するロック操作を受け付ける受付処理部と、
前記受付処理部により前記ロック操作が受け付けられたことに応じて、前記ジョブの状態を前記ジョブに対する中止操作が制限されるロック状態へと変更する変更処理部と、
前記ジョブが前記ロック状態である間、前記ジョブに対する中止操作を制限する制限処理部と、
を備えるジョブ実行装置。
【請求項２】
前記受付処理部は、前記ジョブが一時停止されたタイミングで前記ロック操作を受け付ける、
請求項１に記載のジョブ実行装置。
【請求項３】
前記受付処理部は、前記ジョブの実行中の任意のタイミングで前記ロック操作を受け付ける、
請求項１又は請求項２に記載のジョブ実行装置。
【請求項４】
前記受付処理部により前記ジョブに対する前記ロック操作が受け付けられたときに、前記ロック状態を解除するための認証情報を取得して、前記ジョブと関連付けて記憶部に記憶する記憶処理部を更に備え、
前記制限処理部は、前記ジョブに対する中止操作が行われたときに取得される認証情報が、前記ジョブと関連付けて前記記憶部に記憶されている認証情報と一致する場合に、前記中止操作を受け付ける、
請求項１〜３のいずれかに記載のジョブ実行装置。
【請求項５】
前記変更処理部は、前記ジョブの状態が前記ロック状態に変更されてから予め設定された時間が経過したことに応じて、前記ジョブの状態を前記ロック状態からアンロック状態へと変更する、
請求項１〜４のいずれかに記載のジョブ実行装置。
【請求項６】
前記実行処理部は、前記ジョブの実行中に前記ジョブの状態が前記ロック状態へと変更された場合も、前記ジョブの実行を引き続き継続する、
請求項１〜５のいずれかに記載のジョブ実行装置。
【請求項７】
前記実行処理部は、一時停止中のジョブが前記ロック状態である場合も、前記ジョブに対する再開操作に応じて前記ジョブの実行を再開する、
請求項１〜６のいずれかに記載のジョブ実行装置。
【請求項８】
前記制限処理部は、原稿待機中のジョブが前記ロック状態である場合は、前記ジョブに対する読取再開操作を制限する、
請求項１〜７のいずれかに記載のジョブ実行装置。
【請求項９】
ジョブを実行する実行ステップと、
前記ジョブの実行中又は一時停止中に前記ジョブに対するロック操作を受け付ける受付ステップと、
前記受付ステップで前記ロック操作が受け付けられたことに応じて、前記ジョブの状態を前記ジョブに対する中止操作が制限されるロック状態へと変更する変更ステップと、
前記ジョブが前記ロック状態である間、前記ジョブに対する中止操作を制限する制限ステップと、
を含むジョブ実行方法。
【発明の詳細な説明】
【技術分野】
【０００１】
本発明は、印刷ジョブ、コピージョブ、画像読取ジョブ、画像送信ジョブなどのジョブを実行するジョブ実行装置及びジョブ実行方法に関する。
【背景技術】
【０００２】
親展印刷が一時停止された場合に、前記親展印刷の再開時にユーザーＩＤ及びパスワードの入力を要求することによって、前記親展印刷が他のユーザーによって勝手に再開されることを防止可能な印刷装置が知られている（例えば、特許文献１参照）。
【先行技術文献】
【特許文献】
【０００３】
【特許文献１】特開２００４−９８４１３号公報
【発明の概要】
【発明が解決しようとする課題】
【０００４】
一方、親展印刷ではない通常の印刷ジョブについては、出力された用紙を他のユーザーに見られても構わないため、一時停止されている印刷ジョブが他のユーザーによって勝手に再開されても特に問題はない。しかしながら、一時停止されている印刷ジョブが他のユーザーにより不本意に又は意図的に中止された場合には、前記印刷ジョブを最初から再実行する必要があり、それまでに費やした時間及び用紙が無駄になってしまう。
【０００５】
本発明の目的は、実行中又は一時停止中のジョブが他のユーザーによって中止されてしまうことを防止することが可能なジョブ実行装置及びジョブ実行方法を提供することにある。
【課題を解決するための手段】
【０００６】
本発明の一の局面に係るジョブ実行装置は、実行処理部と、受付処理部と、変更処理部と、制限処理部とを備える。前記実行処理部は、ジョブを実行する。前記受付処理部は、前記ジョブの実行中又は一時停止中に前記ジョブに対するロック操作を受け付ける。前記変更処理部は、前記受付処理部により前記ロック操作が受け付けられたことに応じて、前記ジョブの状態を前記ジョブに対する中止操作が制限されるロック状態へと変更する。前記制限処理部は、前記ジョブが前記ロック状態である間、前記ジョブに対する中止操作を制限する。
【０００７】
本発明の一の局面に係るジョブ実行方法は、実行ステップと、受付ステップと、変更ステップと、制限ステップとを含む。前記実行ステップでは、ジョブが実行される。前記受付ステップでは、前記ジョブの実行中又は一時停止中に前記ジョブに対するロック操作が受け付けられる。前記変更ステップでは、前記受付ステップで前記ロック操作が受け付けられたことに応じて、前記ジョブの状態が前記ジョブに対する中止操作が制限されるロック状態へと変更される。前記制限ステップでは、前記ジョブが前記ロック状態である間、前記ジョブに対する中止操作が制限される。
【発明の効果】
【０００８】
本発明によれば、実行中又は一時停止中のジョブが他のユーザーによって中止されてしまうことを防止することが可能なジョブ実行装置及びジョブ実行方法が提供される。
【図面の簡単な説明】
【０００９】
【図１】図１は、本発明の実施形態に係る画像形成装置のシステム構成を示すブロック図である。
【図２】図２は、本発明の実施形態に係る画像形成装置で用いられるロック情報の一例を示す図である。
【図３】図３は、本発明の実施形態に係る画像形成装置で用いられるロック処理の手順の一例を示すフローチャートである。
【図４】図４は、本発明の実施形態に係る画像形成装置で用いられるロック処理の手順の一例を示すフローチャートである。
【図５】図５は、本発明の実施形態に係る画像形成装置で用いられるロック操作受付画面の一例を示す図である。
【図６】図６は、本発明の実施形態に係る画像形成装置で用いられるパスワード設定画面の一例を示す図である。
【図７】図７は、本発明の実施形態に係る画像形成装置で用いられるパスワード入力画面の一例を示す図である。
【図８】図８は、本発明の実施形態に係る画像形成装置で用いられるパスワード入力画面の一例を示す図である。
【発明を実施するための形態】
【００１０】
以下添付図面を参照しながら、本発明の実施形態について説明し、本発明の理解に供する。なお、以下の実施形態は、本発明を具体化した一例であって、本発明の技術的範囲を限定するものではない。
【００１１】
［画像形成装置の構成］
図１に示されるように、本発明の実施形態に係る画像形成装置１は、操作表示部１０、ＡＤＦ（Auto Document Feeder）１１、画像読取部１２、画像形成部１３、通信Ｉ／Ｆ１４、記憶部１５、及び制御部１６などを備える。具体的に、画像形成装置１は、プリンター機能、スキャナー機能、コピー機能、及びファクシミリ機能などを有する複合機である。なお、画像形成装置１は、本発明のジョブ実行装置の一例である。本発明は、複合機に限らず、コピー機、プリンター、ファクシミリ装置のような任意のジョブ実行装置に適用可能である。
【００１２】
操作表示部１０は、情報を表示する液晶ディスプレーなどの表示部と、ユーザー操作を受け付けるタッチパネル及び操作ボタンなどの操作部とを備える。
【００１３】
ＡＤＦ１１は、原稿セット部、搬送ローラー、原稿押さえ、及び排紙部を備え、画像読取部１２の読み取り対象となる原稿を搬送する自動原稿搬送装置である。
【００１４】
画像読取部１２は、原稿台、光源、ミラー、光学レンズ、及びＣＣＤ（Charge Coupled Device）を備え、原稿の画像を読み取って画像データとして出力することが可能である。
【００１５】
画像形成部１３は、電子写真方式又はインクジェット方式で画像データに基づく印刷処理を実行することが可能であり、前記画像データに基づいてシート上に画像を形成する。例えば、画像形成部１３が電子写真方式の画像形成部である場合、画像形成部１３は感光体ドラム、帯電器、露光装置、現像装置、転写装置、及び定着装置などを備える。
【００１６】
通信Ｉ／Ｆ１４は、電話回線、インターネット、又はＬＡＮなどの通信網を介して、外部のファクシミリ装置又はパーソナルコンピューターなどの情報処理装置との間で所定の通信プロトコルに従った通信処理を実行することが可能な通信インターフェイスである。
【００１７】
記憶部１５は、ハードディスク又はＥＥＰＲＯＭ（登録商標）などの不揮発性の記憶部である。記憶部１５には、制御部１６によって実行される各種の制御プログラム、及び各種のデータなどが記憶される。記憶部１５には、後述のロック情報Ｄ１（図２）も記憶される。なお、前記記憶部１５は、本発明の記憶部の一例である。
【００１８】
制御部１６は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。なお、前記ＲＡＭは、本発明の記憶部の一例である。
【００１９】
ところで、親展印刷が一時停止された場合に、前記親展印刷の再開時にユーザーＩＤ及びパスワードの入力を要求することによって、前記親展印刷が他のユーザーによって勝手に再開されることを防止可能な印刷装置が知られている。一方、親展印刷ではない通常の印刷ジョブについては、出力された用紙を他のユーザーに見られても構わないため、一時停止されている印刷ジョブが他のユーザーによって勝手に再開されても特に問題はない。しかしながら、一時停止されている印刷ジョブが他のユーザーにより不本意に又は意図的に中止された場合には、前記印刷ジョブを最初から再実行する必要があり、それまでに費やした時間及び用紙が無駄になってしまう。これに対して、本実施形態に係る画像形成装置１では、以下で説明するように、実行中又は一時停止中のジョブが他のユーザーによって中止されてしまうことを防止することが可能である。
【００２０】
制御部１６は、実行処理部１６１、受付処理部１６２、記憶処理部１６３、変更処理部１６４、及び制限処理部１６５を含む。なお、制御部１６は、前記制御プログラムに従って各種の処理を実行することによりこれらの各処理部として機能する。また、制御部１６は、これらの各処理部の一部又は複数の処理機能を実現する電子回路を備えるものであってもよい。
【００２１】
実行処理部１６１は、操作表示部１０又は外部の情報処理装置を通じて入力されるジョブ開始要求に応じて、印刷ジョブ、コピージョブ、画像読取ジョブ、画像送信ジョブなどのジョブを実行する。実行処理部１６１は、ＡＤＦ１１、画像読取部１２、画像形成部１３、通信Ｉ／Ｆ１４などを適宜に制御して、各種のジョブを実行する。実行処理部１６１は、例えば、印刷ジョブと画像送信ジョブとを並行して実行するなど、異なるジョブを並行して実行することが可能である。
【００２２】
受付処理部１６２は、前記ジョブの実行中又は一時停止中に、前記ジョブに対するロック操作を受け付ける。前記ロック操作は、前記ジョブに対する中止操作を制限するための操作であって、例えば、図５に示されるロック操作受付画面Ｐ１における操作キーＫ１１の操作である。もしくは、前記ロック操作は、操作表示部１０に設けられているロックキー（不図示）の操作であってもよい。なお、前記中止操作は、例えば、操作表示部１０に設けられているストップキー（不図示）の操作である。
【００２３】
受付処理部１６２は、前記ジョブが一時停止されたタイミングで前記ロック操作を受け付けてもよい。例えば、受付処理部１６２は、用紙切れ、トナー切れ、紙詰まりなどの異常により前記ジョブが一時停止されたタイミングで、図５に示されるロック操作受付画面Ｐ１を操作表示部１０に表示させて、前記ロック操作を受け付けてもよい。もしくは、受付処理部１６２は、操作表示部１０に設けられている一時停止キー（不図示）が操作されたタイミングで、図５に示されるロック操作受付画面Ｐ１を操作表示部１０に表示させて、前記ロック操作を受け付けてもよい。前記ジョブが一時停止されたタイミングは、ユーザーが画像形成装置１から離れる可能性が高いため、このタイミングでロック操作受付画面Ｐ１を操作表示部１０に表示させることにより、効果的なタイミングでユーザーにロック操作を促すことができる。
【００２４】
また、受付処理部１６２は、前記原稿セット部に、複数の原稿束を複数回に分けてセットし、連続的に原稿束の読取を行う連続読取中に、前記複数の原稿束の一つの束の読み取りを終了したタイミングである原稿待機中に前記ロック操作を受け付けてもよい。ユーザーは前記原稿の束と束の間で、別の原稿を取りに行くことがあり、画像形成装置１から離れる可能性が高いため、このタイミングでロック操作受付画面Ｐ１を操作表示部１０に表示させることにより、効果的なタイミングでユーザーにロック操作を促すことができる。
【００２５】
また、受付処理部１６２は、前記ジョブの実行中の任意のタイミングで前記ロック操作を受け付けてもよい。例えば、受付処理部１６２は、ユーザーによって任意のタイミングで行われる前記ロックキーの操作を、前記ロック操作として受け付けてもよい。
【００２６】
記憶処理部１６３は、受付処理部１６２により前記ジョブに対する前記ロック操作が受け付けられたときに、ロック状態を解除するための認証情報を取得して、前記ジョブと関連付けて記憶部１５又は前記ＲＡＭに記憶する。前記ロック状態とは、前記ジョブに対する中止操作が制限されている状態（例えば、正しいパスワードが入力されない限りは中止操作が受け付けられない状態）である。受付処理部１６２により前記ロック操作が受け付けられたことに応じて、変更処理部１６４により前記ジョブの状態が前記ロック状態へと変更される。前記認証情報は、例えば、操作表示部１０を通じてユーザーによって入力される任意のパスワード（数字又は文字列）である。例えば、記憶処理部１６３は、図６に示されるパスワード設定画面Ｐ２を通じてユーザーにより入力されたパスワードを、図２に示されるロック情報Ｄ１のように、ジョブと関連付けて記憶部１５に記憶する。なお、他の実施形態では、前記認証情報が、ユーザーが携帯しているＩＣカードから電気的に読み取られるユーザー識別情報であってもよい。
【００２７】
変更処理部１６４は、受付処理部１６２により前記ロック操作が受け付けられたことに応じて、前記ジョブの状態を前記ロック状態へと変更する。例えば、変更処理部１６４は、図２に示されるロック情報Ｄ１において、前記ジョブに対応する「状態情報」をアンロック状態（すなわち、前記ロック状態ではない状態）から前記ロック状態へと変更する。
【００２８】
制限処理部１６５は、前記ジョブが前記ロック状態である間、前記ジョブに対する中止操作を制限する。例えば、制限処理部１６５は、前記ジョブに対する中止操作が行われたときに、図７に示されるようなパスワード入力画面Ｐ３を操作表示部１０に表示させてもよい。そして、パスワード入力画面Ｐ３を通じて入力されるパスワードが、前記ジョブと関連付けて記憶部１５に記憶されているパスワードと一致する場合に、前記中止操作を受け付けてもよい。これにより、前記ジョブが他のユーザーによって中止されてしまうことを防止することが可能である。
【００２９】
なお、変更処理部１６４は、前記ジョブの状態が前記ロック状態に変更されてから予め設定された時間（例えば、１５分間）が経過したことに応じて、前記ジョブの状態を前記ロック状態から前記アンロック状態へと変更してもよい。なお、前記予め設定された時間は、固定であってもよいし、ユーザー操作に応じて変更可能であってもよい。
【００３０】
なお、実行処理部１６１は、前記ジョブの実行中に前記ジョブの状態が前記ロック状態へと変更された場合も、前記ジョブの実行を引き続き継続してもよい。これにより、ユーザーは、前記ジョブの実行を継続させたまま、前記ジョブを前記ロック状態にして画像形成装置１から離れることが可能である。よって、前記ジョブをより早く完了させることができる。
【００３１】
また、実行処理部１６１は、一時停止中のジョブが前記ロック状態である場合も、前記ジョブに対する再開操作（例えば、操作表示部１０に設けられているスタートキーの操作）に応じて前記ジョブの実行を再開してもよい。これにより、例えば、用紙切れによりジョブが一時停止され、ユーザーが新しい用紙を探しに画像形成装置１から離れている場合でも、他のユーザーが用紙を補給して前記ジョブを再開させることが可能である。よって、前記ジョブをより早く完了させることができる。なお、例えば印刷ジョブが用紙切れにより一時停止されている間も、用紙を用いないジョブ（例えば、画像読取ジョブ、画像送信ジョブなど）については実行可能である。
【００３２】
なお、制限処理部１６５は、前記原稿待機中のジョブが前記ロック状態である場合は、前記ジョブに対する読取再開操作（例えば、操作表示部１０に設けられているスタートキーの操作）を制限してもよい。例えば、制限処理部１６５は、前記原稿待機中のジョブが前記ロック状態である場合は、前記ジョブに対する読取再開操作が行われたときに、図８に示されるようなパスワード入力画面Ｐ４を操作表示部１０に表示させてもよい。そして、パスワード入力画面Ｐ４を通じて入力されるパスワードが、前記ジョブと関連付けて記憶部１５に記憶されているパスワードと一致する場合に、前記読取再開操作を受け付けてもよい。これにより、前記連続読取処理の途中で、ユーザーが画像形成装置１から離れている間に、他のユーザーの原稿が誤って読み取られてしまうことを防止することが可能である。なお、原稿待機中であっても、画像読取部１２を用いないジョブ（例えば、印刷ジョブなど）については実行可能である。
【００３３】
［ロック処理］
次に、図３及び図４を参照しつつ、制御部１６によって実行されるロック処理の手順の一例について説明する。ここで、ステップＳ１，Ｓ２，・・・は、制御部１６により実行される処理手順（ステップ）の番号を表している。なお、前記ロック処理は、例えば、操作表示部１０又は外部の情報処理装置を通じて、画像形成装置１に対してジョブ開始要求が入力されたことに応じて開始される。
【００３４】
＜ステップＳ１＞
まず、ステップＳ１において、制御部１６（実行処理部１６１）は、前記ジョブ開始要求に応じて、印刷ジョブ、コピージョブ、画像読取ジョブ、画像送信ジョブなどのジョブの実行を開始する。当該ステップＳ１は、本発明の実行ステップの一例である。
【００３５】
＜ステップＳ２＞
ステップＳ２において、制御部１６は、前記ジョブの実行が一時停止されたか否かを判断する。例えば、用紙切れ、トナー切れ、紙詰まりなどの異常が発生した場合、連続読取中に、複数の原稿束の一つの束の読み取りを終了したタイミングである原稿待機中の場合、又は操作表示部１０に設けられている一時停止キー（不図示）が操作された場合に、制御部１６（実行処理部１６１）は、前記ジョブの実行を一時停止させる。そして、前記ジョブの実行が一時停止されたと判断されると（Ｓ２：Ｙｅｓ）、処理がステップＳ３に移行する。一方、前記ジョブの実行が一時停止されていないと判断されると（Ｓ２：Ｎｏ）、処理がステップＳ５に移行する。
【００３６】
＜ステップＳ３＞
ステップＳ３において、制御部１６（受付処理部１６２）は、図５に示されるようなロック操作受付画面Ｐ１を操作表示部１０に表示させる。当該ステップＳ４は、本発明の受付ステップの一例である。
【００３７】
＜ステップＳ４＞
ステップＳ４において、制御部１６（受付処理部１６２）は、前記ジョブに対する前記ロック操作が行われたか否かを判断する。具体的に、制御部１６は、ロック操作受付画面Ｐ１における操作キーＫ１１が操作された場合に、前記ロック操作が行われたと判断する。一方、ロック操作受付画面Ｐ１における操作キーＫ１２が操作された場合には、制御部１６は、前記ロック操作が行われていない判断する。そして、前記ロック操作が行われたと判断されると（Ｓ４：Ｙｅｓ）、処理がステップＳ６に移行する。一方、前記ロック操作が行われていないと判断されると（Ｓ４：Ｎｏ）、処理がステップＳ５に移行する。当該ステップＳ４は、本発明の受付ステップの一例である。
【００３８】
＜ステップＳ５＞
ステップＳ５において、制御部１６（受付処理部１６２）は、前記ジョブに対する前記ロック操作が行われたか否かを判断する。具体的に、制御部１６は、操作表示部１０に設けられているロックキー（不図示）が操作された場合に、前記ロック操作が行われたと判断する。そして、前記ロック操作が行われたと判断されると（Ｓ５：Ｙｅｓ）、処理がステップＳ６に移行する。一方、前記ロック操作が行われていないと判断されると（Ｓ５：Ｎｏ）、処理がステップＳ８に移行する。当該ステップＳ５は、本発明の受付ステップの一例である。
【００３９】
＜ステップＳ６＞
ステップＳ６において、制御部１６（記憶処理部１６３）は、図６に示されるようなパスワード設定画面Ｐ２を操作表示部１０に表示させる。ユーザーは、操作表示部１０に設けられているテンキー（不図示）等を操作して、パスワード設定画面Ｐ２における入力欄Ｂ２１に所望のパスワードを入力することができる。その後、操作キーＫ２１が操作されると、制御部１６は、入力欄Ｂ２１に入力されたパスワードを、図２に示されるロック情報Ｄ１のように、前記ジョブと関連付けて記憶部１５に記憶する。
【００４０】
＜ステップＳ７＞
ステップＳ７において、制御部１６（変更処理部１６４）は、前記ジョブの状態を前記ロック状態へと変更する。具体的に、制御部１６は、図２に示されるロック情報Ｄ１において、前記ジョブに対応する「状態情報」を「アンロック状態」から「ロック状態」へと変更する。また、制御部１６は、ロック情報Ｄ１において、前記ジョブに対応する「ロック日時」に現在日時を記録する。そして、処理がステップＳ８に移行する。当該ステップＳ７は、本発明の変更ステップの一例である。
【００４１】
＜ステップＳ８＞
ステップＳ８において、制御部１６は、前記ジョブに対する中止操作が行われたか否かを判断する。例えば、制御部１６は、操作表示部１０に設けられているストップキー（不図示）が操作された場合に、前記中止操作が行われたと判断する。そして、前記中止操作が行われたと判断されると（Ｓ８：Ｙｅｓ）、処理がステップＳ９に移行する。一方、前記中止操作が行われていないと判断されると（Ｓ８：Ｎｏ）、処理が図４のステップＳ１３に移行する。
【００４２】
＜ステップＳ９＞
ステップＳ９において、制御部１６は、ロック情報Ｄ１に基づいて、前記ジョブが前記ロック状態であるか否かを判断する。そして、前記ジョブが前記ロック状態であると判断されると（Ｓ９：Ｙｅｓ）、処理がステップＳ１０に移行する。一方、前記ジョブが前記アンロック状態であると判断されると（Ｓ９：Ｎｏ）、処理がステップＳ１２に移行する。
【００４３】
＜ステップＳ１０＞
ステップＳ１０において、制御部１６（制限処理部１６５）は、図７に示されるようなパスワード入力画面Ｐ３を操作表示部１０に表示させる。ユーザーは、操作表示部１０に設けられているテンキー（不図示）等を操作して、パスワード入力画面Ｐ３における入力欄Ｂ３１に、パスワードを入力することができる。その後、操作キーＫ３１が操作されると、処理がステップＳ１１に移行する。当該ステップＳ１０は、本発明の制限ステップの一例である。
【００４４】
＜ステップＳ１１＞
ステップＳ１１において、制御部１６（制限処理部１６５）は、パスワード入力画面Ｐ３における入力欄Ｂ３１に入力されたパスワードと、ロック情報Ｄ１において前記ジョブに関連付けて記憶されているパスワードとが一致するか否かを判断する。そして、これらのパスワードが一致していると判断されると（Ｓ１１：Ｙｅｓ）、処理がステップＳ１２に移行する。一方、これらのパスワードが一致していないと判断されると（Ｓ１１：Ｎｏ）、処理が図４のステップＳ１３に移行する。当該ステップＳ１１は、本発明の制限ステップの一例である。
【００４５】
＜ステップＳ１２＞
ステップＳ１２において、制御部１６（実行処理部１６１）は、前記ジョブの実行を中止する。そして、前記ロック処理が終了する。
【００４６】
＜ステップＳ１３＞
一方、図４のステップＳ１３において、制御部１６は、前記読取再開操作が行われたか否かを判断する。例えば、制御部１６は、画像読取部１２により複数の原稿の束が順次に読み取られる連続読取処理の途中で次の原稿束がセットされるのを待機している原稿待機中に、操作表示部１０に設けられているスタートキーが操作された場合に、前記読取再開操作が行われたと判断する。そして、前記読取再開操作が行われたと判断されると（Ｓ１３：Ｙｅｓ）、処理がステップＳ１４に移行する。一方、前記読取再開操作が行われていないと判断されると（Ｓ１３：Ｎｏ）、処理がステップＳ１８に移行する。
【００４７】
＜ステップＳ１４＞
ステップＳ１４において、制御部１６は、ロック情報Ｄ１に基づいて、前記ジョブが前記ロック状態であるか否かを判断する。そして、前記ジョブが前記ロック状態であると判断されると（Ｓ１４：Ｙｅｓ）、処理がステップＳ１５に移行する。一方、前記ジョブが前記アンロック状態であると判断されると（Ｓ１４：Ｎｏ）、処理がステップＳ１７に移行する。
【００４８】
＜ステップＳ１５＞
ステップＳ１５において、制御部１６（制限処理部１６５）は、図８に示されるようなパスワード入力画面Ｐ４を操作表示部１０に表示させる。ユーザーは、操作表示部１０に設けられているテンキー（不図示）等を操作して、パスワード入力画面Ｐ４における入力欄Ｂ４１に、パスワードを入力することができる。その後、操作キーＫ４１が操作されると、処理がステップＳ１６に移行する。
【００４９】
＜ステップＳ１６＞
ステップＳ１６において、制御部１６（制限処理部１６５）は、パスワード入力画面Ｐ４における入力欄Ｂ４１に入力されたパスワードと、ロック情報Ｄ１において前記ジョブに関連付けて記憶されているパスワードとが一致するか否かを判断する。そして、これらのパスワードが一致していると判断されると（Ｓ１６：Ｙｅｓ）、処理がステップＳ１７に移行する。一方、これらのパスワードが一致していないと判断されると（Ｓ１６：Ｎｏ）、処理がステップＳ１８に移行する。
【００５０】
＜ステップＳ１７＞
ステップＳ１７において、制御部１６は、（実行処理部１６１）は、前記連続読取処理を再開させる。そして、処理がステップＳ１８に移行する。このとき、制御部１６（変更処理部１６４）は、前記ジョブの状態を前記ロック状態から前記アンロック状態へと変更してもよい。具体的に、制御部１６は、図２に示されるロック情報Ｄ１において、前記ジョブに対応する「状態情報」を「ロック状態」から「アンロック状態」へと変更すると共に、前記ジョブに対応する「ロック日時」をクリアしてもよい。これにより、前記連続読取処理が再開された後に前記ジョブを中止する場合に、前記パスワードを再度入力する手間が不要となる。
【００５１】
＜ステップＳ１８＞
ステップＳ１８において、制御部１６は、ロック情報Ｄ１に基づいて、前記ジョブが前記ロック状態であるか否かを判断する。そして、前記ジョブが前記ロック状態であると判断されると（Ｓ１８：Ｙｅｓ）、処理がステップＳ１９に移行する。一方、前記ジョブが前記アンロック状態であると判断されると（Ｓ１８：Ｎｏ）、処理がステップＳ２１に移行する。
【００５２】
＜ステップＳ１９＞
ステップＳ１９において、制御部１６は、前記ジョブの状態が前記ロック状態に変更されてから、予め設定された時間が経過したか否かを判断する。例えば、制御部１６は、図２に示されるロック情報Ｄ１における「ロック日時」の情報と現在日時とに基づいて、前記ジョブの状態が前記ロック状態に変更されてからの経過時間を算出する。そして、制御部１６は、算出された経過時間が、予め設定された時間（例えば、１５分間）以上である場合に、前記予め設定された時間が経過したと判断する。そして、前記予め設定された時間が経過したと判断されると（Ｓ１９：Ｙｅｓ）、処理がステップＳ２０に移行する。一方、前記予め設定された時間が経過していないと判断されると（Ｓ１９：Ｎｏ）、処理がステップＳ２１に移行する。
【００５３】
＜ステップＳ２０＞
ステップＳ２０において、制御部１６（変更処理部１６４）は、前記ジョブの状態を前記ロック状態から前記アンロック状態へと変更する。具体的に、制御部１６は、図２に示されるロック情報Ｄ１において、前記ジョブに対応する「状態情報」を「ロック状態」から「アンロック状態」へと変更すると共に、前記ジョブに対応する「ロック日時」をクリアする。そして、処理がステップＳ２１に移行する。
【００５４】
＜ステップＳ２１＞
ステップＳ２１において、制御部１６は、前記ジョブが完了したか否かを判断する。そして、前記ジョブが完了したと判断されると（Ｓ２１：Ｙｅｓ）、前記ロック処理が終了する。一方、前記ジョブが完了していないと判断されると（Ｓ２１：Ｎｏ）、処理が図３の前記ステップＳ２に戻る。
【００５５】
以上のように、本実施形態に係る画像形成装置１によれば、実行中又は一時停止中のジョブに対するロック操作に応じて、前記ジョブに対する中止操作が制限される。よって、実行中又は一時停止中のジョブが他のユーザーによって中止されてしまうことを防止することが可能である。
【００５６】
［変形例］
なお、本実施形態では、前記ロック操作が受け付けられたことに応じてパスワード設定画面Ｐ２が表示されるが、本発明はこれに限定されない。他の実施形態では、前記ロック操作が受け付けられたことに応じて、予め設定された時間（例えば、１５分間）だけ前記ジョブの状態が前記ロック状態に一時的に変更されてもよい。この場合、前記ロック操作が受け付けられてから前記予め設定された時間が経過するまでは、いかなるユーザーも前記ジョブを中止させることができない。よって、前記ロック操作が受け付けられてから前記予め設定された時間が経過するまでの間に、前記ジョブが他のユーザーによって中止されてしまうことを防止することが可能である。
【符号の説明】
【００５７】
１  画像形成装置
１６  制御部
１６１  実行処理部
１６２  受付処理部
１６３  記憶処理部
１６４  変更処理部
１６５  制限処理部
【図１】
2019010790.tif 000003
【図２】
2019010790.tif 000004
【図３】
2019010790.tif 000005
【図４】
2019010790.tif 000006
【図５】
2019010790.tif 000007
【図６】
2019010790.tif 000008
【図７】
2019010790.tif 000009
【図８】
2019010790.tif 000010